(57)【特許請求の範囲】
【請求項１】
前脚と、
中空部材により構成される後脚と、
前記前脚および前記後脚に接続される座部と、
前記前脚に接続され、開脚時には前記後脚内に挿し込まれる方向に摺動し、閉脚時には前記後脚内から引き抜かれる方向に摺動するスライダと、
前記後脚の内径よりも大径の頭部と、前記後脚の内径よりも小径の筒部と、からなり、前記頭部および前記筒部には前記スライダが摺動する摺動空間が形成され、かつ前記筒部は前記後脚内に挿入される筒状部材と、を備え、
前記スライダの側面には突起部が設けられ、
前記筒状部材の筒部には、開脚時に、前記スライダの基端部と前記筒状部材の頭部との間に隙間が形成されるよう、前記突起部と当接することによって前記スライダの前記後脚内への挿し込みを規制する規制手段が設けられていることを特徴とする、
折りたたみ椅子。
【請求項２】
前記規制手段は、前記筒状部材の筒部に、前記摺動空間と連通し、かつ前記スライダの摺動方向に沿った長孔状の開口部であって、開脚時にその下端が前記突起部と当接する位置に設けられた開口部であることを特徴とする、
請求項１に記載の折りたたみ椅子。
【請求項３】
前記開口部は、前記筒状部材の中心軸に対して対称に少なくとも１対設けられており、前記突起部は前記スライダを貫通し、かつその長さが前記筒状部材の筒部の内径よりも大きいピンにより構成されていることを特徴とする、
請求項２に記載の折りたたみ椅子。
【発明の詳細な説明】
【技術分野】
【０００１】
本発明は、折りたたみ椅子に関する。
【背景技術】
【０００２】
従来、前脚と、後脚と、前脚および後脚に接続される座部と、を備え、非使用時には閉脚して折りたたみ可能に構成された折りたたみ椅子が知られている。このような折りたたみ椅子の一つとして、前脚に取り付けられたスライダが折りたたみ椅子の開脚および閉脚に合わせて後脚内を摺動するタイプの折りたたみ椅子がある。そして、このタイプの折りたたみ椅子の中には、例えば特許文献１のように、開脚時に指の挟み込みを防止する機能を備えたものもある。
【０００３】
特許文献１には、前脚１若しくは座２にロッド８を枢着し、ロッド８をスライドブッシュ１５が嵌着された後脚４の開口端９から後脚４内に摺動可能に挿入して前脚１、後脚４及び座２を折りたたみ可能に連結した折りたたみ椅子において、ロッド８を後脚４内に進入させた際、ロッド８の基端部１７と後脚４の開口端９間に所定の間隔を存して開脚状態になるようロッド８の差込端１３が当接するストッパ１６を後脚４内に設けた折りたたみ椅子が開示されている。特許文献１の折りたたみ椅子は、上記のような構成とすることで、開脚した状態において、ロッドの基端部と後脚の開口端の間に所定の間隙が形成されるので、従来のように指先等を挟み込むおそれがなくなったとされている（特許文献１の請求項１、段落［０００５］、段落［０００８］および図２）。
【先行技術文献】
【特許文献】
【０００４】
【特許文献１】特許第２６４６４２７号公報
【発明の概要】
【発明が解決しようとする課題】
【０００５】
特許文献１の折りたたみ椅子では、ストッパは後脚にかしめるように形成されているため、ストッパの両端が後脚の外面に現れることになり、外観上好ましくない。また、特許文献１の折りたたみ椅子は、スライドブッシュとストッパとは別々の部品として構成されているものである。
【０００６】
本発明では、外観が優れ、かつ開脚時に指の挟み込みを防止するための新規な構造を備えた折りたたみ椅子を提供することを目的とする。
【課題を解決するための手段】
【０００７】
本発明の第一の特徴は、前脚と、中空部材により構成される後脚と、前脚および後脚に接続される座部と、前脚に接続され、開脚時には後脚内に挿し込まれる方向に摺動し、閉脚時には後脚内から引き抜かれる方向に摺動するスライダと、後脚の内径よりも大径の頭部と、後脚の内径よりも小径の筒部と、からなり、頭部および筒部にはスライダが摺動する摺動空間が形成され、かつ筒部は後脚内に挿入される筒状部材と、を備え、スライダの側面には突起部が設けられ、筒状部材の筒部には、開脚時に、スライダの基端部と筒状部材の頭部との間に隙間が形成されるよう、突起部と当接することによってスライダの後脚内への挿し込みを規制する規制手段が設けられていることである。
【０００８】
本発明の第二の特徴は、規制手段は、筒状部材の筒部に、摺動空間と連通し、かつスライダの摺動方向に沿った長孔状の開口部であって、開脚時にその下端が突起部と当接する位置に設けられた開口部であることである。
【０００９】
本発明の第三の特徴は、開口部は、筒状部材の中心軸に対して対称に少なくとも１対設けられており、突起部はスライダを貫通し、かつその長さが筒状部材の筒部の内径よりも大きいピンにより構成されていることである。
【発明の効果】
【００１０】
上記第一の特徴によれば、本願発明では、規制手段と筒状部材とを別々の部品として構成するのではなく、規制手段は筒状部材の筒部に設ける構造としている。そして、開脚時に、スライダの側面に設けられた突起部と規制手段とが当接することによって、スライダの基端部と筒状部材の頭部との間に隙間が形成され、それによって指を挟むことを防止できるという従来にない新規な構造を備えた折りたたみ椅子を提供できる。また、規制手段が設けられた筒状部材の筒部は後脚内に挿入されているため、規制手段が後脚の外面に現れることがなく、外観上も好ましいものとなる。
【００１１】
上記第二の特徴によれば、筒状部材の筒部に開口部を形成するという簡単な構造により、規制手段を設けることが可能となる。
【００１２】
上記第三の特徴によれば、スライダを貫通するピンの両側が開口部の下端と当接する構造であるため、ピンの片側だけで開口部の下端と当接する構造と比較して、ピンが折れる可能性が低くなる。
【図面の簡単な説明】
【００１３】
【図１】本発明の折りたたみ椅子の開脚状態を表す全体斜視図である。
【図２】（ａ）は筒状部材の平面図、（ｂ）は筒状部材の正面図、（ｃ）は筒状部材の右側面図、（ｄ）は（ｂ）のＡ−Ａ矢視断面図、（ｅ）は（ｃ）のＢ−Ｂ矢視断面図である。
【図３】（ａ）はスライダの正面図、（ｂ）はスライダの側面図である。
【図４】（ａ）は本発明の折りたたみ椅子の開脚状態の正面図、（ｂ）は本発明の折りたたみ椅子の開脚状態の側面図、（ｃ）は（ａ）におけるＣ−Ｃ矢視断面図である。
【図５】（ａ）は本発明の折りたたみ椅子の閉脚状態の正面図、（ｂ）は本発明の折りたたみ椅子の閉脚状態の側面図、（ｃ）は（ａ）におけるＤ−Ｄ矢視断面図である。
【図６】本発明の折りたたみ椅子の他の実施形態における開脚状態を表す側面図である。
【発明を実施するための形態】
【００１４】
以下、本発明の折りたたみ椅子１について、図面を参照しながら説明する。
【００１５】
図１に示すように、本発明の折りたたみ椅子１は、前脚２と、後脚３と、前脚２および後脚３に接続される座部４と、前脚２に接続される背もたれ５と、を備えている。座部４は、前脚２および後脚３にリベットによって回動可能に接続されている。また、前脚２および後脚３は、断面が略楕円状の中空部材を折り曲げ成形することによって構成されている。
【００１６】
後脚３内には、筒状部材６が挿入されている（図４参照）。筒状部材６は、図２に示すように、後脚３と同様に断面が略楕円状をなしており、後脚３の内径（長軸内径および短軸内径）よりも大径の頭部６ａと、後脚３の内径（長軸内径および短軸内径）よりも小径の筒部６ｂとから構成されている。
【００１７】
筒部６ｂの外面には、筒部６ｂの長手方向に延び、かつ筒部６ｂの中心方向外側へ突出する複数の突起６ｃが放射状に設けられている。また、筒部６ｂの下部は下方へ向けて縮径するテーパ状に形成されている。そして、後脚３内に筒部６ｂが挿入され、頭部６ａの下端部が後脚３の上端部と当接することによって筒状部材６は後脚３に取り付けられる。
【００１８】
前記の通り、筒部６ｂの外面には、突起６ｃが設けられているため、この突起６ｃと後脚３の内面との間には適度な摩擦が生じる。この際に発生する摩擦力は、筒部６ｂに突起６ｃが形成されていない場合と比較して、小さいものとなる。その結果、筒状部材６を後脚３内に挿入する際には、突起６ｃが形成されていない場合と比較して挿入しやすくなる。さらに、筒部６ｂの下部は下方へ向けて縮径するテーパ状に形成されているため、より後脚３内に挿入しやすくなっている。
【００１９】
筒状部材６の頭部６ａおよび筒部６ｂには、後述するスライダ７のスライド部７ａ（図３参照）が摺動するための摺動空間６ｄが貫通形成されている（図２（ａ）および（ｄ）参照）。この摺動空間６ｄの形状はスライド部７ａの形状と略同形状であり、摺動空間６ｄの大きさはスライド部７ａよりもわずかに大きく形成されている。
【００２０】
また、筒部６ｂの側面には、摺動空間６ｄと連通する開口部６ｅ（規制手段の一例）が設けられている（図２（ｃ）〜（ｅ）参照）。本実施形態では、この開口部６ｅは、その長手方向がスライダ７の摺動方向に沿うように、つまり筒部６ｂの長手方向に延びる長孔状に設けられている。なお、本実施形態では、開口部６ｅは筒状部材６の中心軸に対して対称に２つ設けられている（図２（ｅ）参照）。
【００２１】
図３に示すように、スライダ７は、屈曲部を有するプレート状部材により構成されるスライド部７ａと、その屈曲部を覆うように設けられたスライダヘッド７ｂとから構成されている。このスライド部７ａが、筒状部材６に設けられた摺動空間６ｄ内を摺動することになる。なお、本実施形態では、スライド部７ａと、スライダヘッド７ｂとは別々の部品により構成されている。
【００２２】
スライド部７ａには、スライド部７ａを前脚２に取り付ける際に使用するリベットを挿入するための貫通孔７ｃ、スライド部７ａをスライダヘッド７ｂに固定する際に使用するネジ等を挿入するための貫通孔７ｄ、および、スライド部７ａの下部に設けられ、後述するピン８（突起部の一例）を挿入するための貫通孔７ｅが設けられている。
【００２３】
スライダヘッド７ｂには、スライダヘッド７ｂを前脚２に取り付ける際に使用するリベットを挿入するための貫通孔、およびスライド部７ａを挿入するための開口が設けられており、その開口にスライド部７ａが挿入される。そして、スライド部７ａは、貫通孔７ｄに挿入されたネジなどの締結部材によってスライダヘッド７ｂに固定される。また、スライド部７ａがスライダヘッド７ｂ内に挿入されたとき、スライド部７ａの貫通孔７ｃとスライダヘッド７ｂに設けられた貫通孔とは、その中心軸が一致するように構成されている。そして、スライド部７ａおよびスライダヘッド７ｂは、スライド部７ａの貫通孔７ｃおよびスライダヘッド７ｂの貫通孔に挿入されるリベットによって、一体として前脚２に回動可能に取り付けられる。
【００２４】
なお、スライダヘッド７ｂは必要に応じて設けるものとし、図６に示すようにスライダヘッド７ｂを設けない構成とすることも可能である。本実施形態では、スライド部７ａとスライダヘッド７ｂとは別々の部品により構成されているが、スライド部７ａとスライダヘッド７ｂとを同一の部材によって一体的に構成してもよい。
【００２５】
また、筒状部材６、スライド部７ａおよびスライダヘッド７ｂの材質は特に限定されず、樹脂または金属などによって作製される。ただし、筒状部材６の内面およびスライド部７ａの外面のうち、少なくともいずれか一方は樹脂よって構成されることが好ましい。筒状部材６の内面およびスライド部７ａの外面うち、少なくともいずれか一方が樹脂によって構成されていることで、スライド部７ａが筒状部材６内を摺動する際に適切な摺動速度が得られるような摩擦力が、筒状部材６とスライド部７ａとの間に生じることになる。
【００２６】
前記の通り、スライド部７ａの下部に設けられた貫通孔７ｅには、円柱状のピン８が取り付けられる。ピン８を取り付ける場合には、スライダ７を筒状部材６内に挿入した後、開口部６ｅから貫通孔７ｅにピン８を挿入する。ピン８はその中心軸が、スライド部７ａの中心軸とほぼ一致するように挿入され、それによってピン８はスライド部７ａの両側面からほぼ同じ長さだけ突出することになる。ピン８の長さは、筒部６ｂの内径（短軸内径）よりも大きく、かつ後脚３の内径（短軸内径）以下に構成されているため、ピン８の両端部分はそれぞれ、２つの開口部６ｅ内に位置することになる。
【００２７】
そして、折りたたみ椅子１の開脚および閉脚に合わせてスライダ７が摺動し、それに合わせてピン８は２つの開口部６ｅ内を移動することになる。
【００２８】
図４に示すように、折りたたみ椅子１の開脚時には、スライダ７は後脚３内に挿し込まれる方向に摺動する。そして、開脚状態になったときには、ピン８は開口部６ｅの下端６ｆに当接するように構成されており、それによってスライダ７はそれ以上後脚３内に挿し込まれなくなる。つまり、開口部６ｅの下端６ｆは、ピン８が開口部６ｅの下端６ｆに当接したときに、折りたたみ椅子１が開脚状態となるような位置に設けられている。さらに、開口部６ｅの下端６ｆは、折りたたみ椅子１が開脚状態になったときに、筒状部材６の頭部６ａ（より詳細には頭部６ａの上端）と、スライダ７の基端部であるスライダヘッド７ｂの下端７ｆとの間に指を挟まない程度の間隔の隙間Ｓが形成されるような位置に設けられている。
【００２９】
なお、前記の通り隙間Ｓは指を挟まない程度の間隔であればよく、例えば約８ｍｍ以上とすればよい。
【００３０】
また、折りたたみ椅子１の閉脚時には、図５に示すように、スライダ７は後脚３内から引き抜かれる方向に摺動する。そして、閉脚状態になったときには、ピン８は開口部６ｅの上端６ｇに当接するように構成されており、それによってスライダ７はそれ以上後脚３内から引き抜かれなくなる。つまり、開口部６ｅの上端６ｇは、ピン８が開口部６ｅの上端に当接したときに、折りたたみ椅子１が閉脚状態となるような位置に設けられている。
【００３１】
なお、図６に示すように、スライド部７ａにスライダヘッド７ｂを設けなかった場合には、開口部６ｅの下端６ｆは、折りたたみ椅子１が開脚状態になったときに、筒状部材６の頭部６ａ（より詳細には頭部６ａの上端）と、スライダ７の基端部であるスライド部７ａの上部７ｇとの間に指を挟まない程度の間隔の隙間Ｓが形成されるような位置に設けられている。
【００３２】
［他の実施形態］
上記実施形態では、スライド部７ａは屈曲部を有するプレート状部材により構成されているが、スライド部７ａの構成はこれに限定されない。例えば、スライド部７ａは、円筒状部材でもよく、また、屈曲部を有していなくてもよい。
【００３３】
上記実施形態では、突起部は、スライド部７ａを貫通する円柱状のピン８によって構成されているが、突起部の構成はこれに限定されない。例えば、ピン８の形状は、角柱状としてもよい。また、突起部はスライド部７ａの片側側面のみに設けられていてもよく、それに合わせて開口部６ｅも１つだけ設けるようにしてもよい。
【００３４】
上記実施形態では、規制手段は、開口部６ｅによって構成されているが、規制手段の構成はこれに限定されない。例えば、規制手段は、筒状部材６の筒部６ｂ内面に段差部や突起部を設け、その段差部や突起部とピン８とが当接するようにしてもよい。
【００３５】
上記実施形態では、後脚３は楕円状の中空部材によって構成されているが、後脚３は円筒状部材によって構成されていてもよい。後脚３を円筒状部材で構成した場合は、筒状部材６も円筒状部材で構成することになる。
【００３６】
上記実施形態では、開口部６ｅは長孔状としたが、開口部６ｅの形状はこれに限定されない。例えば、開口部６ｅの形状は、筒部６ｂの長手方向に延びる長方形状であってもよい。また、開口部６ｅの数も２つに限定されない。
【００３７】
本発明は上記実施形態に限られず、本発明の趣旨を逸脱しない範囲で適宜変更可能である。
【符号の説明】
【００３８】
１      折りたたみ椅子
２      前脚
３      後脚
４      座部
５      背もたれ
６      筒状部材
６ａ    頭部
６ｂ    筒部
６ｃ    突起
６ｄ    摺動空間
６ｅ    開口部（規制手段）
６ｆ    開口部の下端
６ｇ    開口部の上端
７      スライダ
７ａ    スライド部
７ｂ    スライダヘッド
７ｃ    貫通孔
７ｄ    貫通孔
７ｅ    貫通孔
７ｆ    スライダヘッドの下端（基端部）
７ｇ    スライド部の上部（基端部）
８      ピン（突起部）
Ｓ      隙間
【要約】
【課題】外観が優れ、かつ開脚時に指の挟み込みを防止するための新規な構造を備えた折りたたみ椅子を提供する。
【解決手段】前脚２にはピン８が設けられたスライダ７が取り付けられ、中空部材により構成される後脚３内には後脚３の内径よりも大径の頭部６ａと、後脚３の内径よりも小径の筒部６ｂとからなる筒状部材６が挿入されており、筒状部材６の筒部６ｂには、開脚時に、スライダ７の基端部７ｆと、筒状部材６の頭部６ａとの間に隙間Ｓが形成されるよう、ピン８と当接することによってスライダ７の後脚３内への挿し込みを規制する規制手段が設けられている。
【選択図】図４【図１】
0005433106.tif 000002
【図２】
0005433106.tif 000003
【図３】
0005433106.tif 000004
【図４】
0005433106.tif 000005
【図５】
0005433106.tif 000006
【図６】
0005433106.tif 000007